Podtech/llm-jp-corpus-v4-ja_patent huggingface dataset:
(57)【要約】  本発明特許明細書は、燃料タンクと、エンジンと、戻り配管との間で使用される車両燃料配管等の流体車両配管に関するものである。コネクタの機能を強化するため、新規なモデルでは、接続セットを２つの部品で提供することで、素早い組み付けを可能とする。このうち小さい方の部品は、セットに連結されるコネクタのロックとして作用する。新規なコネクタは、２つの動作を行えるロック用のハウジングが設けられた本体によって構成される。１つ目の動作は、コネクタを押圧することでコネクタが挿入され、挿入後にセットが確実にロックされる動作である。２つ目の動作は開動作であり、壁の一つを押圧するとロックが開き、コネクタを取り外すことができる。
2009520158.tif 000002
【特許請求の範囲】
【請求項１】
ホースを差し込めるように形成され、鱗状突起（４）を備えた円筒部（３）が設けられたコネクタ（１）により構成される小型コネクタであって、
本体（１）には、その上部にＵ字ロック（２）用のハウジング（５）が設けられ、Ｕ字ロック（２）或いはリング（２）は、その面がハウジング（５）の前面に見える窓（７）内に配置され、２つのアーム（８）は、その縁部に近接した内面を画定して、後面で傾斜面として形成される区域と、下面で水平面として形成される区域との２つの区域（９）を形成するとともに、アーム（８）の縁部にはＶ字アングル面（１２）が設けられ、
このＶ字アングル面（１２）は、ハウジング（５）の前壁（１３）に作用するとともに、前記前壁（１３）の角度と反対の角度を有し、
前記前壁（１３）の側面には、窓（１４）が設けられていることを特徴とする小型コネクタ。
【発明の詳細な説明】
【技術分野】
【０００１】
本発明特許明細書は、燃料タンクと、エンジンと、戻り配管との間で使用される車両燃料配管等の流体車両配管に関するものである。
【背景技術】
【０００２】
現行の車両においては、構成部品の数が増加しているので、スペースを減少させるために、小さな部品の数を増やすことが必要となる。その反面、コストを削減するために、組み立て速度を上げることが必要になるが、これにはクイックコネクタが安全な接続を確実に行う必要があるとともに、メンテナンスが必要なときには、クイックコネクタとの接続を解除する手段が必要となる。
【０００３】
例えば、ブラジル特許第ＰＩ９６００８１２号、同第ＰＩ０００３４３３９号、同第ＰＩ０１０１８３２９号、同第ＰＩ０２０２５４９７３号、同第ＰＩ０５００９３２４号、同第ＰＩ０５００９８０４号、同第ＰＩ０５０５２０９８０号、および同第ＰＩ０５０２０９９９号明細書に開示されたコネクタでは、コネクタを小型化して、素早く使用できるように機能強化したいくつかの構成が開示されている。
【特許文献１】ブラジル特許第ＰＩ９６００８１２号
【特許文献２】ブラジル特許第ＰＩ０００３４３３９号
【特許文献３】ブラジル特許第ＰＩ０１０１８３２９号
【特許文献４】ブラジル特許第ＰＩ０２０２５４９７３号
【特許文献５】ブラジル特許第ＰＩ０５００９３２４号
【特許文献６】ブラジル特許第ＰＩ０５００９８０４号
【特許文献７】ブラジル特許第ＰＩ０５０５２０９８０号
【特許文献８】ブラジル特許第ＰＩ０５０２０９９９号
【発明の開示】
【課題を解決するための手段】
【０００４】
コネクタの機能を強化するため、新規なモデルでは、接続セットを２つの部品で提供することで、素早い組み付けを可能とする。このうち小さい方の部品は、セットに連結されるコネクタのロックとして作用する。新規なコネクタは、２つの動作を行えるロック用のハウジングが設けられた本体によって構成される。１つ目の動作は、コネクタを押圧することでコネクタが挿入され、挿入後にセットが確実にロックされる動作である。２つ目の動作は開動作であり、壁の一つを押圧するとロックが開き、コネクタを取り外すことができる。
【発明を実施するための最良の形態】
【０００５】
新規な特徴を示した添付の図面により、本発明のより深い理解が可能となる。
【０００６】
本出願書類の一部である添付の図面によると、小型コネクタは、ロック（２）が差し込まれるコネクタ本体（１）により構成される。
【０００７】
コネクタ本体（１）は、一方で、ホースを差し込めるように構成された、鱗状突起（４）を備える円筒部（３）を含み、他方で、本体（１）には、その上部にＵ字ロック（２）用のハウジング（５）が設けられている。Ｕ字ロック（２）或いはリング（２）は、一面（６）がハウジング（５）の前面に見える窓（７）内に配置され、２つのアーム（８）は、その縁部近くの内面を画定して、２つの区域（９）を形成する。これら２つの区域（９）は、上部領域における下向きの傾斜面と、コネクタ（１１）の前面に見えるリング（１０）の保持器として作用する下部領域における水平面とを備える。一方、アーム（８）の縁部には、ハウジング（５）の前壁（１３）の側面傾斜として作用するＶ字アングル面（１２）が設けられている。ハウジング（５）の前壁（１３）側には、２つの窓（１４）が設けられている。
【０００８】
リング（１０）が下向き傾斜面（９）を押圧すると、窓（１４）があるのでアーム（８）が開き、リング（１０）がロック（２）を通過して、下向き傾斜面（９）によって形成された突起により保持されることで、コネクタ（１）の内部にコネクタ（１１）が確実に挿入されセットされる。前記下向き傾斜面（９）の反対側は直線状であり、コネクタ（１１）を取り外すことができない。
【０００９】
取り外しの際は、ハウジング（５）の窓（７）から見える壁（６）を押圧すると、アーム（８）のＶ字面（１２）が、反対の角度を設けた壁（１３）上を摺動し、ロック（２）が開いてコネクタ（１１）を取り外すことができる。
【図面の簡単な説明】
【００１０】
【図１】自己格納式ブラケットを取り付けたコネクタの斜視図である。
【図２】保持リングの斜視図である。
【図３】リングが見える面でコネクタの上部を部分的に切断した斜視図である。
【図４】保持リングを付けない状態でコネクタ本体を示す図である。
【図５】コネクタと連結されるリングを有するダクトの側面図である。
【図１】
2009520158.tif 000003
【図２】
2009520158.tif 000004
【図３】
2009520158.tif 000005
【図４】
2009520158.tif 000006
【図５】
2009520158.tif 000007
【国際調査報告】
2009520158.tif 000008
2009520158.tif 000009
2009520158.tif 000010
(57)【要約】  吸入器具（１０）が、周囲を紙ラッパー（１４）で巻かれた繊維性の筒状プラグ（１２）を有する。芳香物質（１８）がプラグの中心線（１６）に沿って塗布される。このような物質はユーカリ油又はメントールを含むものであってもよい。気密ホイル（２０）が紙ラッパー及び筒状プラグの端部を取り巻く。鼻詰まりを楽にし、咳を鎮めるためにこの吸入器具を利用することが可能である。【選択図】図２
2009520545.tif 000002
【特許請求の範囲】
【請求項１】
繊維性の筒状プラグと、
前記筒状プラグの周囲に巻かれた紙ラッパーと、
ほぼ中心線上に又はほぼ中心線近くにある芳香物質と、
前記紙ラッパー周囲に巻かれた気密ホイルと、
を備えることを特徴とする吸入器具。
【請求項２】
前記繊維性の筒状プラグがセルロースアセテート繊維から成ることを特徴とする請求項１に記載の吸入器具。
【請求項３】
前記セルロースアセテート繊維を融合する結合剤を含むことを特徴とする請求項２に記載の吸入器具。
【請求項４】
前記結合剤がトリアセチンであることを特徴とする請求項３に記載の吸入器具。
【請求項５】
前記芳香物質がユーカリ油であることを特徴とする請求項１に記載の吸入器具。
【請求項６】
前記芳香物質がメントールであることを特徴とする請求項１に記載の吸入器具。
【請求項７】
前記気密ホイルがアルミホイルであることを特徴とする請求項１に記載の吸入器具。
【発明の詳細な説明】
【技術分野】
【０００１】
本発明は、芳香療法送達器具に関し、より具体的には、器具が利用されたときに芳香物質を送達する吸入器具に関する。
【背景技術】
【０００２】
ユーザが吸入したときに芳香物質を送達する器具が、非常に多く提案されている。例示として、米国特許第４，０８３，３７２号には、煙草状の大きさ、形状及び全体の外観を有し、喫煙の代替物としてだけでなく、そもそも禁煙の補助として利用される吸入器について記載がある。コーヒー、ラム酒及びメントールを含む芳香物質が、密封されたソフトジェルカプセルの中に詰められ、カプセルに穴が開くと、管状のさやで囲まれた芯の上へ芳香物質が溢れ出るものである。この時芳香物質が吸入される。鼻詰まりを楽にし、咳を鎮めるために利用される吸入器もある。吸入器により送達された芳香物質によりオイカリプトールが吸入された場合、この物質は去痰薬として働き、しつこい粘液を切り、咳をして胸の中から吐き出しやすくさせる。さらに、ユーカリ油は、揮発性のペパーミント油から得られるメントールと同じ様に働き、鼻粘膜の受容体に作用することによって鼻詰まり症状を緩和させる。
【発明の開示】
【発明が解決しようとする課題】
【０００３】
従って、本発明の目的の１つは、ユーザが吸入したときに芳香物質を送達する吸入器具である。
【０００４】
本発明の別の目的は、構造がシンプルでありながら、芳香物質を極めて新鮮な状態で送達する効果の高い吸入器具である。
【課題を解決するための手段】
【０００５】
本発明によれば、この吸入器具は、周囲を紙ラッパーで巻かれた繊維性の筒状プラグを有する。この繊維性の筒状プラグが形成されている間ずっと、芳香物質は、この筒状プラグのほぼ中心線上に、又はほぼ中心線近くに塗布されている。最後に、この紙ラッパーを気密ホイルが取り巻く。好適には、芳香物質は筒状プラグの中心線に加えられることが望ましい。プラグの中心線とは、主要部分、すなわち、プラグの縦方向に延びる軸を意味する。
【０００６】
繊維性の筒状プラグは、セルロースアセテート繊維を融合するための結合剤を含むセルロースアセテート繊維から成る。例えば、結合剤はトリアセチンであってもよい。芳香物質はユーカリ油又はメントールであってもよく、気密ホイルはアルミニウムであってもよい。
【発明を実施するための最良の形態】
【０００７】
添付図面と共に以下の詳細な説明を読めば、当業者には、上述の特徴及び利点に加えて、本発明の新規の特徴及び利点が容易に明らかになるであろう。同じ参照記号は同様の部分を意味するものとする。
【０００８】
図面をさらに詳細に参照すると、図１及び図２は、周囲を紙ラッパー１４で巻かれた繊維性の筒状プラグ１２を有する吸入器具１０を示す図である。プラグ１２は、セルロースアセテート繊維及び該繊維を融合する結合剤から成る。このような結合剤の１つとしてトリアセチンが挙げられる。
【０００９】
芳香物質１８は、セルロースアセテート繊維が筒状プラグ形状を形成している間ずっとプラグの中心線近くに塗布される。アルミホイルなどの気密ホイル２０が、紙ラッパー及び繊維プラグの端部を取り巻いて、芳香物質の新鮮さを保持するようになっている。
【００１０】
ユーカリ油及びメントールなどの多くの芳香物質を中心線１６に塗布することができる。Ｋａｍｉｃｈ（登録商標）塗布を利用して、溶けたメントール又はユーカリ油を繊維性の筒状プラグの中心上へ一直線に直接注入してもよい。
【００１１】
使用時には、ホイル１２は取り除かれ、器具１０の吸入が行われて、芳香物質が送達される。鼻詰まりを楽にし、咳を鎮めるためにこの吸入器を利用する場合、ユーカリ油又はメントールなどの芳香物質が吸入され、これらの物質がしつこい粘液を切り、咳をして胸の中から吐き出しやすくさせることにより去痰薬として働く。これらの芳香物質は、鼻粘膜の受容体として働き、鼻詰まり症状を緩和させることになる。
【００１２】
この吸入器具１０は、利用及び廃棄が簡単なため、吸入器を最初に開封した後、約２８日以内に使用するように消費者に警告している市場の器具と比較した場合、この吸入器具の衛生意識の方がはるかに優れている。
【００１３】
さらに、本発明の吸入器具１０は、相対的に高価で、かつ、環境に厳しい硬質プラスチック製の吸入器とは異なるものである。また、繊維プラグに塗布する芳香物質の量を変えることにより、異なる市場区分を対象として異なるように事前注入を行うことが容易である。
【図面の簡単な説明】
【００１４】
【図１】本発明による吸入器具を示す部分的に切断した左側正面図である。
【図２】部分的に切断し、図１の線２−２に沿って切り取られた断面図の形の側面図である。
【図１】
2009520545.tif 000003
【図２】
2009520545.tif 000004